(57)【要約】【課題】インストラクターの作業負荷を軽減することができる環境制御装置を提供する。【解決手段】リモートコントローラ、ヒータ及び加湿器と接続された環境制御装置１０であって、リモートコントローラからの第１信号を受信する受信部１１０と、受信部１１０により第１信号が受信されたか否かを判定する判定部１２０と、時間軸上の時点とヒータ及び加湿器の動作とを対応付けたスケジュールデータを取得するデータ取得部１３０と、第１信号が受信されたと判定された場合、スケジュールデータに基づいてヒータ及び加湿器を制御する環境制御部１４０とを備える。【選択図】図３
2017146006.tif 000002
【特許請求の範囲】
【請求項１】
リモートコントローラ、ヒータ及び加湿器と接続された環境制御装置であって、
前記リモートコントローラからの第１信号を受信する受信部と、
前記受信部により前記第１信号が受信されたか否かを判定する判定部と、
時間軸上の時点と前記ヒータ及び前記加湿器の動作とを対応付けたスケジュールデータを取得するデータ取得部と、
前記第１信号が受信されたと判定された場合、前記スケジュールデータに基づいて前記ヒータ及び前記加湿器を制御する環境制御部と
を備える環境制御装置。
【請求項２】
前記環境制御装置は、照明装置と接続され、
前記スケジュールデータは、時間軸上の時点と前記照明装置の動作とを対応付け、
前記環境制御部は、前記第１信号が受信された場合、前記スケジュールデータに基づいて前記照明装置を制御することを特徴とする請求項１に記載の環境制御装置。
【請求項３】
前記受信部は、前記リモートコントローラからの第２信号を受信し、
前記判定部は、前記第２信号が受信された否かを判定し、
前記環境制御部は、前記第２信号が受信されたと判定された場合、前記ヒータ及び前記加湿器の動作を停止させ、前記照明装置を点灯させることを特徴とする請求項２に記載の環境制御装置。
【請求項４】
前記環境制御装置は、スピーカと接続され、
前記データ取得部は、音声データを取得し、
前記環境制御部は、前記第１信号が受信されたと判定された場合、前記音声データに基づいて、前記スピーカを制御することを特徴とする請求項１乃至請求項３のいずれか一項に記載の環境制御装置。
【請求項５】
前記環境制御装置は、前記第２信号が受信されたと判定された場合、前記スピーカの動作を停止させることを特徴とする請求項４に記載の環境制御装置。
【請求項６】
前記環境制御装置は、ディスプレイと接続され、
前記データ取得部は、第１映像データを取得し、
前記環境制御部は、前記第１信号が受信されたと判定された場合、前記第１映像データに基づいて、前記ディスプレイを制御することを特徴とする請求項１乃至請求項５のいずれか一項に記載の環境制御装置。
【請求項７】
前記データ取得部は、第２映像データを取得し、
前記環境制御部は、前記第２信号が受信されたと判定された場合、前記第２映像データに基づいて、前記ディスプレイを制御することを特徴とする請求項６に記載の環境制御装置。
【発明の詳細な説明】
【技術分野】
【０００１】
本発明は、室内の環境を制御する装置に関するものである。
【背景技術】
【０００２】
近年、ダイエット、アンチエイジング、健康増進などを目的として、高温多湿の環境下においてヨガを行うホットヨガが知られている。このホットヨガを経験するためのプログラムは、一般的に、フィットネスクラブにおけるサービスの一環として、またホットヨガ専門のスタジオのサービスとして、参加者に提供される。また、このようなプログラムには、高温多湿の環境を提供する施設と、この施設においてヨガの動作を参加者へ指導するインストラクターとが必要となる。インストラクターは、いくつかの異なる動作段階を含むプログラムの各動作の指導を行うことが主な役割であるが、多くの場合、プログラムの各動作段階に応じて、施設内の環境を変化させる役割をも担っている。
【０００３】
また、関連する技術として、浴室の相対湿度を検知する浴室相対湿度検知手段と、相対湿度が上昇方向か、下降方向か、平衡状態か判定を行う浴室湿度傾向判定手段と、上昇方向または下降方向と判定した場合に浴室相対湿度検知手段により検知した相対湿度に補正を行う浴室相対湿度補正手段を備え、相対湿度を精度よく検知でき、応答性のよい湿度制御が可能なミストサウナ装置（例えば、特許文献１）が知られている。
【先行技術文献】
【特許文献】
【０００４】
【特許文献１】特開２０１４−１６１４７１号公報
【発明の概要】
【発明が解決しようとする課題】
【０００５】
しかしながら、インストラクターは、ヨガの動作を指導するにあたって、その動作を自ら実演する必要があるため、施設内の環境を変化させる度に実演を中断して機器の操作作業を行わなければならず、このことがインストラクターの作業負荷を増大させているという問題がある。
【０００６】
本発明は、上述した問題点を解決するためになされたものであり、インストラクターの作業負荷を軽減することができる環境制御装置を提供することを目的とする。
【課題を解決するための手段】
【０００７】
上記課題を解決するために、本発明の一態様は、リモートコントローラ、ヒータ及び加湿器と接続された環境制御装置であって、前記リモートコントローラからの第１信号を受信する受信部と、前記受信部により前記第１信号が受信されたか否かを判定する判定部と、時間軸上の時点と前記ヒータ及び前記加湿器の動作とを対応付けたスケジュールデータを取得するデータ取得部と、前記第１信号が受信されたと判定された場合、前記スケジュールデータに基づいて前記ヒータ及び前記加湿器を制御する環境制御部とを備える。
【発明の効果】
【０００８】
本発明によれば、インストラクターの作業負荷を軽減することができる環境制御装置を実現できる。本発明のその他の効果については、以下の発明を実施するための形態の項でも説明する。
【図面の簡単な説明】
【０００９】
【図１】実施形態に係る環境制御システムの構成を示すブロック図である。
【図２】環境制御装置のハードウェア構成を示すブロック図である。
【図３】環境制御装置の機能構成を示すブロック図である。
【図４】ホットヨガルームの環境変化の例を示す図である。
【図５】環境制御装置の動作を示すフローチャートである。
【発明を実施するための形態】
【００１０】
以下、本発明の実施形態について図面を参照しつつ説明する。
【００１１】
（環境制御システムの構成）
まず、本実施形態に係る環境制御システムの構成を説明する。図１は、実施形態に係る環境制御システムの構成を示すブロック図である。
【００１２】
環境制御システムは、対象とする空間であるホットヨガルーム内の環境を制御するシステムであり、図１に示すように、環境制御装置１０、ＰＬＣ（Ｐｒｏｇｒａｍｍａｂｌｅ  Ｌｏｇｉｃ  Ｃｏｎｔｒｏｌｌｅｒ）２０、ホットヨガルーム内を加熱するヒータ２１、ホットヨガルーム内を加湿する加湿器２２、ホットヨガルーム内を照らす照明装置２３、環境制御装置１０に対して後述する指示信号を送信するリモートコントローラ２４、後述する指導映像データまたは停止映像データによる映像を表示するディスプレイ３１、指導映像データによる音声を出力するスピーカ３２を備える。このうち、環境制御装置１０及びＰＬＣ２０はホットヨガルーム外に設置され、それ以外の装置はホットヨガルーム内に設置されるものとする。
【００１３】
インストラクターは、リモートコントローラ２４を用いて、ホットヨガのプログラムを選択し、ホットヨガルーム内を選択したプログラムに応じた環境に変化させる環境制御の開始、または停止を指示する。このため、リモートコントローラ２４は、少なくとも、複数の選択肢を選択するためのユーザインターフェイス及び選択した選択肢を環境制御装置１０に指示するための選択スイッチ、選択肢に応じた環境制御の開始を環境制御装置１０に指示するための開始スイッチ、開始した制御の停止を環境制御装置１０に指示するための停止スイッチを備える。また、環境制御によれば、ホットヨガルーム内の環境として、ホットヨガルーム内の温度、湿度、明るさ、再生される映像及び音声が制御される。
【００１４】
環境制御装置１０は、指示信号に従って、後述するスケジュールデータに基づいて、ＰＬＣ２０を介してヒータ２１、加湿器２２、照明装置２３、ディスプレイ３１、スピーカ３２を制御する。
【００１５】
ＰＬＣ２０は、環境制御装置１０、ヒータ２１、加湿器２２、照明装置２３、リモートコントローラ２４と接続される。ＰＬＣ２０は、環境制御装置１０から送信される制御データに基づいてヒータ２１、加湿器２２、照明装置２３に対してＯＮ−ＯＦＦ制御を行う。なお、照明装置２３は、複数のＬＥＤランプを有し、発光させるＬＥＤランプの数を異ならせることによって、照射光の光量が調節可能となっている。
【００１６】
（環境制御装置のハードウェア構成）
次に、環境制御装置のハードウェア構成について説明する。図２は、環境制御装置のハードウェア構成を示すブロック図である。
【００１７】
図２に示すように、環境制御装置１０は、ハードウェアとして、ＣＰＵ（Ｃｅｎｔｒａｌ  Ｐｒｏｃｅｓｓｉｎｇ  Ｕｎｉｔ）１０１、ＲＡＭ１０２、記憶装置１０３、入力装置１０４、ディスプレイ１０５、入出力ＩＦ（Ｉｎｔｅｒｆａｃｅ）１０６を備える。ＣＰＵ１０１は、ＲＡＭ１０２と協働して、後述する各種機能を実行する。記憶装置１０３は不揮発性のメモリであり、スケジュールデータ、指導映像データ、停止映像データを記憶する。入力装置１０４はポインティングデバイスとしてのマウスや文字信号を送信するキーボードなどの入力手段であり、ディスプレイ１０５は表示装置である。入出力ＩＦ１０６は、ＰＬＣ２０、ディスプレイ３１、スピーカ３２と接続するためのインターフェイスである。
【００１８】
（環境制御装置の機能構成）
次に、環境制御装置の機能構成について説明する。図３は、環境制御装置の機能構成を示すブロック図である。
【００１９】
図３に示すように、環境制御装置１０は、機能として、受信部１１０、判定部１２０、データ取得部１３０、環境制御部１４０を備える。受信部１１０は、リモートコントローラ２４から、指示信号として、選択信号、開始信号、停止信号を受信する。ここで、選択信号は複数のプログラムのうちの選択されたプログラムを示し、開始信号は選択されたプログラムに応じた環境制御の開始を示し、停止信号は開始された環境制御の停止を示す。判定部１２０は、受信部１１０が開始信号、停止信号を受信したか否かを判定する。データ取得部１３０は、スケジュール取得部１３１及び映像取得部１３２を備える。環境制御部１４０は、加熱制御部１４１、加湿制御部１４２、メディア制御部１４３、照明制御部１４４を備え、ホットヨガルーム内の環境制御を行う。スケジュール取得部１３１は、記憶装置１０３に記憶されたスケジュールデータを取得する。映像取得部１３２は、記憶装置１０３に記憶された指導映像データまたは停止映像データを取得する。加熱制御部１４１は、スケジュールデータに基づいてヒータ２１を制御する。加湿制御部１４２は、スケジュールデータに基づいて加湿器２２を制御する。メディア制御部１４３は、映像データにおける映像をディスプレイ３１に表示させるとともに、映像データにおける音声をスピーカに出力させ、スケジュールデータに基づいて音声の音量を制御する。照明制御部１４４は、スケジュールデータに基づいて、ホットヨガルーム内を照らす光量を制御する。
【００２０】
（ホットヨガルーム内の環境制御）
次に、ホットヨガルーム内の環境制御の概要について説明する。図４は、ホットヨガルームの環境変化の例を示す図である。なお、この図においては、ホットヨガの所定のプログラムに応じた環境変化が示されている。
【００２１】
ホットヨガのプログラムは所定の時間内において順序付けられた複数の動作によって構成され、本実施の形態においては、プログラムの参加者は、図４に示すように、各動作を説明する指導映像とインストラクターの指示とに従って各動作を行うものとする。また、プログラムが実施される際、ホットヨガルーム内の環境、具体的には、ホットヨガルーム内の温度、湿度、照度、及び指導映像の音声の音量が各動作に合わせて変更される。
【００２２】
環境制御装置１０の記憶装置１０３に記憶されたスケジュールデータは、ヨガルーム内の環境がプログラムに応じて変化するように予め設定されるデータであり、制御対象としてのヒータ２１、加湿器２２、照明装置２３、スピーカ３２それぞれについて、所定の周期毎に、各周期、即ち時間軸上の各時点と動作とが対応付けられたデータである。ヒータ２１及び加湿器２２については、各周期に対応付けられる動作はオンまたはオフとなっている。また、照明装置２３については、この照明装置２３に含まれる複数のＬＥＤランプそれぞれについて、各周期と動作とが対応付けられ、動作はオンまたはオフとなっている。また、スピーカ３２については、各周期に対応付けられる動作はデジベル値となっている。
【００２３】
上述の指導映像データ及びスケジュールデータはプログラム毎に用意されており、環境制御装置１０の記憶装置１０３において、プログラムを一意に示す識別子であるプログラムＩＤと、映像データと、スケジュールとが対応付けられて記憶されているものとする。また、スケジュールデータにはプログラムの時間長が含まれており、この時間長と指導映像データによる映像及び音声の時間長は同等とする。
【００２４】
（環境制御装置の動作）
次に、環境制御装置の動作について説明する。図５は、環境制御装置の動作を示すフローチャートである。なお、このフローチャートにおいて、リモートコントローラによって予めプログラムが選択されているものとする。
【００２５】
図５に示すように、まず、判定部１２０は、受信部１１０がリモートコントローラ２４からの開始信号を受信したか否かを判断する（Ｓ１０１）。
【００２６】
受信部１１０が開始信号を受信した場合（Ｓ１０１，ＹＥＳ）、スケジュール取得部１３１が、選択されたプログラムのプログラムＩＤと対応付けられたスケジュールデータを記憶装置１０３から取得し（Ｓ１０２）、映像取得部１３２が、プログラムＩＤと対応付けられた指導映像データを記憶装置１０３から取得する（Ｓ１０３）。
【００２７】
スケジュールデータ及び指導映像データが取得された後、環境制御部１４０がホットヨガルーム内の環境制御を開始する（Ｓ１０４）。ここで、メディア制御部１４３は、取得された指導映像データによる映像をディスプレイ３１に表示させ、指導映像データによる音声をスピーカ３２に出力させるとともにその音量をスケジュールデータにおけるデジベル値に基づいて制御する。また、加熱制御部１４１、加湿制御部１４２、照明制御部１４３は、スケジュールデータに基づいて、それぞれ、ヒータ２１、加湿器２２、照明装置３３を制御する。
【００２８】
環境制御部１４０による環境制御の開始後、判定部１２０は、受信部１１０によりリモートコントローラ２４からの停止信号を受信したか否かを判断する（Ｓ１０５）。
【００２９】
受信部１１０が停止信号を受信しない場合（Ｓ１０５，ＮＯ）、判定部１２０は、プログラムが終了したか否か、即ち、環境制御の開始からスケジュールデータにより示される時間長が経過したか否かを判定する（Ｓ１０６）。
【００３０】
プログラムが終了した場合（Ｓ１０６，ＹＥＳ）、選択されたプログラムに応じた環境制御が終了される。
【００３１】
一方、プログラムが終了しない場合（Ｓ１０６，ＮＯ）、判定部１２０は、再度、停止信号を受信した否かを判定する（Ｓ１０５）。
【００３２】
また、ステップＳ１０５において、受信部１１０が停止信号を受信した場合（Ｓ１０５，ＹＥＳ）、照明制御部１４４が照明装置２３における全てのＬＥＤランプを点灯させ（Ｓ１０７）、加熱制御部１４１、加湿制御部１４２、メディア制御部１４３がそれぞれヒータ２１、加湿器２２、スピーカ３２の動作を停止させる（Ｓ１０８）。
【００３３】
更に、映像取得部１３２が記憶装置１０３から停止映像データを取得し（Ｓ１０９）、メディア制御部１４３が取得された停止映像データによる映像をディスプレイ１０５に表示させる（Ｓ１１０）。ここで、停止映像は、ホットヨガルームから外部へ出るための手順や、緊急時の対処法など、高温多湿の環境において参加者の体調が不良となった場合を想定した映像とする。
【００３４】
また、ステップＳ１０１において、受信部１１０が開始信号を受信しない場合（Ｓ１０１，ＮＯ）、判定部１２０は、再度、受信部１１０が開始信号を受信したか否かを判断する（Ｓ１０１）。
【００３５】
上述したように、リモートコントローラからの開始信号を受信後に環境制御装置がスケジュールデータに基づく環境制御を開始することによって、インストラクターの作業負荷を低減することができ、更に、指導映像データに基づく環境制御を行うことによって、インストラクターが不在であっても参加者にプログラムを提供することができる。
【００３６】
また、リモートコントローラからの停止信号を受信後に環境制御装置がスケジュールデータの内容に係わらずヒータ、加湿器、スピーカの動作を停止させることにより、ホットヨガルーム内を平常な環境に戻すことができ、参加者の体調不良等に対応することが可能となる。また、停止信号を受信後に環境制御装置が照明装置を全灯させることによって、参加者がホットヨガルーム外へ安全に出ることができる。また、ディスプレイに表示させる映像を指導映像から停止映像に切り替えることによって、例えば、体調不良時の対処方法を示す映像を停止映像とすれば、インストラクターの不在時に参加者がプログラムに参加している場合であっても、参加者が適切な対処方法を知ることができる。
【００３７】
本発明は、その要旨または主要な特徴から逸脱することなく、他の様々な形で実施することができる。そのため、前述の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００３８】
１０  環境制御装置
２１  ヒータ
２２  加湿器
２３  照明装置
２４  リモートコントローラ
３１  ディスプレイ
３２  スピーカ
１１０  受信部
１２０  判定部
１３０  データ取得部
１４０  環境制御部
【図１】
2017146006.tif 000003
【図２】
2017146006.tif 000004
【図３】
2017146006.tif 000005
【図４】
2017146006.tif 000006
【図５】
2017146006.tif 000007